(57)【要約】      （修正有）【課題】上層部が外れにくく、また様々なカラーや模様をつけることができ、バリエーションが豊かになるもので、芝刈り機の刃で容易に切断でき、置き忘れても老化等で自然に分解可能で、かつ、従来からあるマーカーホルダーに容易に着脱可能であるマーカーを提供する。【解決手段】円盤状のゴム部２を有し、該ゴム部２がゴム生地に磁性粉を混練してなるハイブリッド材であって、ゴム部２が、上面の縁に中央溝部２２より隆起した周縁突起部２１を有し、さらに、ゴム部２の上面側に円盤状の上層部３を貼り合わせてあるマーカー１で、非金属製のボール用のマーカー１とすること。【選択図】図２
0003167434.tif 000002
【実用新案登録請求の範囲】
【請求項１】
非金属製のボール用マーカーであって、円盤状のゴム部を有し、前記ゴム部がゴム生地に磁性粉を混練してなるハイブリッド材であることを特徴とするマーカー。
【請求項２】
前記ゴム部が、上面側の縁に、隆起した周縁突起部を有し、さらに、前記ゴム部の上面側に円盤状の上層部を貼り合わせてあることを特徴とする請求項１記載のマーカー。
【請求項３】
前記上層部が、樹脂シート又はコルクシートであることを特徴とする請求項２記載のマーカー。
【考案の詳細な説明】
【技術分野】
【０００１】
本考案は、グラウンドゴルフやパークゴルフ等各種のゴルフ、その他の球技スポーツでボールの位置を確認するためのマーカーに関する。
【背景技術】
【０００２】
従来、グラウンドゴルフやパークゴルフ等の球技スポーツでは、ボールを取り上げる際にマーカーを使用してボールの位置を確認している。同じフィールド内で複数の球がプレイに使用されているとき、他のボールの移動の妨げにならないように、ボールの代わりにボールのあった場所に目印としてボール用のマーカーを置く。
【０００３】
マーカーを使用する場所は、芝生の上が多い。グラウンドゴルフの大会がサッカー場、陸上競技場、及び多目的な芝生広場で、開催されることも多くなっている。関東圏では大会の参加者が１０００人を超えることも珍しくない。そのため、使用されるマーカーの数も非常に多い。
【０００４】
マーカーは、靴や帽子などに取り付けたクリップ状等の磁石入りマーカーホルダーに、着脱可能に磁力で取り付けて収納する。したがって、マーカーは、一般的に磁石にくっつく金属製である。多くは鉄製で、通常直径２ｃｍ程度のコイン型をしている（例えば、特許文献１参照）。
【先行技術文献】
【特許文献】
【０００５】
【特許文献１】特開２００８−５５５号公報
【考案の概要】
【考案が解決しようとする課題】
【０００６】
芝の上や芝の中に従来の金属製マーカーを置き忘れたり、金属製マーカーがマーカーホルダーから落下したりすることも多々あり、フィールドのメンテナンス時等に、マーカーの金属部分が、芝刈り機の刃を傷めるトラブルが多発する問題があった。芝刈り機の刃は高額であるため、かかるトラブルが生じると、芝刈り機の刃を研ぎ直したり交換したりする必要が生じ、コストと手間が多くかかるという問題があった。サッカー場の芝刈り機は高性能のため、刃も高額で、研ぎ直し費用で５万円前後、取り替え費用で約２０万円もかかる。したがって、鉄製マーカーの使用を禁止しようとする流れとなってきているが、鉄製であると、靴や帽子などに取り付けたクリップ等磁石入りマーカーホルダーに貼り付けて収納することができるなど、取り扱いが便利であるため、他に変えると不便であるという問題があった。
【０００７】
したがって、本考案の第一の目的は、便利であるとともに芝刈り機の刃を傷めず環境に優しいマーカーを提供することにある。
【課題を解決するための手段】
【０００８】
本考案の第１の態様は、非金属製のボール用マーカーであって、円盤状のゴム部を有し、前記ゴム部がゴム生地に磁性粉を混練してなるハイブリッド材であることを特徴とするマーカーを提供する。非金属としては、ゴムやエラストマー、プラスチック等の樹脂、また、セラミック、紙、コルク、ガラス等が挙げられる。ゴム生地としては、スチレンブタジエンゴムが好ましい。本願においては、磁性粉は、強磁性体の粉末でも常磁性体の粉末でもよい。磁性粉は、磁性を有する粉末や磁石を近づけると磁性を帯びる粉末でもよい。
【０００９】
本考案の第１の態様によれば、芝刈り機の刃で容易に切断でき、置き忘れても老化等で自然に分解可能で、かつ、従来からあるマーカーホルダーに容易に着脱可能であるマーカーを提供することができる。
【００１０】
前記ゴム部が、上面側の縁に、隆起した周縁突起部を有し、さらに、前記ゴム部の上面側に円盤状の上層部を貼り合わせてあることが好ましい。また、前記上層部が、樹脂シート又はコルクシートであることが好ましい。上層部が外れにくく、また様々なカラーや模様をつけることができ、バリエーションが豊かになる。
【考案の効果】
【００１１】
本考案によれば、ゴムが柔らかくまた磁性体が粉末であり、かつ磁石に磁力で貼りつけることができるので、便利であるとともに芝刈り機の刃を傷めず環境に優しい。より詳細には、芝刈り機の刃で容易に切断でき、置き忘れても老化等で自然に分解可能で、かつ、従来からあるマーカーホルダーに容易に着脱可能である。また、本考案によれば、上層部が外れにくく、また様々なカラーや模様をつけることができ、バリエーションが豊かになる。
【図面の簡単な説明】
【００１２】
【図１】本考案のマーカーの実施例１の斜視図である。
【図２】本考案のマーカーの実施例１の縦断面概略図である。
【考案を実施するための形態】
【００１３】
以下、本考案のマーカーについて、添付図面を参照して実施例を用いて本考案の好適な実施の形態を具体的に説明するが、本考案はこれらに限定されるものではない。
【実施例１】
【００１４】
｛構造｝
図１は、本考案のマーカーの実施例１の斜視図である。図２は、本考案のマーカーの実施例１の縦断面概略図である。本考案の実施例１のマーカーは、非金属製のボール用のマーカー（１）である。マーカー（１）は、円盤状のゴム部（２）を下層部として有する。ゴム部（２）の上面側に円盤状の上層部（３）を貼り合わせてある。上層部（３）は円盤状の樹脂シートである。ゴム部（２）は、ゴム生地に磁性粉を混練してなるハイブリッド材である。さらに、ゴム部（２）は、上面側の縁に、隆起した周縁突起部（２１）を有する。周縁突起部（２１）以外の上面、すなわち中央部は縁に比べて窪んで平らとなっている中央溝部（２２）となっている。なお、図においては、説明のため厚み方向を拡大している。
【００１５】
ゴム部（２）は、スチレンブタジエンゴム（ＳＢＲ）に、粒径が１００〜２００μｍ、好ましくは１５０〜１６０μｍである鉄粉を、ゴム：鉄粉が重量比で１：０．１〜１の割合で、徐々に混合して、オープンローラーで混練し、ゴム部を３６個含むシートにシーティングして、加硫適正重量の計量をした後、温度１５０〜１８０℃、成型時間１０分〜２０分で加硫して、鉄粉を含む加硫ゴム、すなわちハイブリッド材を作製し、シートから直径２２ｍｍ厚み１ｍｍの円盤状のゴム部を型抜きして仕上げをして作製する。加硫条件は一例であり、ゴムが加硫されればこれに限定されない。また、直径や厚みも上記に限られない。本実施例のマーカーは、硬度が７０〜９０度であり、適度な柔軟性があって、磁石にも磁力でくっつく。本実施例では、磁性を有する粉末、すなわち磁性粉は鉄粉であるが、磁性を有すれば、他の磁性粉でもよい。例えば、ニッケル、コバルト、フェライト、酸化クロム、酸化鉄等が挙げられる。
【００１６】
上層部（３）は、樹脂シートを、ゴム部（２）と同じ直径すなわち直径２２ｍｍで厚み１ｍｍの円盤状に成形して作製する。樹脂シートとしては、例えばポリエチレン等の熱硬化性樹脂のシートが挙げられる。上層部（３）には、ラメや紙片、ガラス片などを練り込んだり、着色したりすることができる。また、上層部（３）はコルクシートでもよい。芝の上に落として放置されても芝刈り機の刃を傷めないとともに劣化して土に還りやすく、環境に優しい。コルクシートに模様を描いたり飾りを張り付けてもよい。そのほか、上層部（３）はガラスや紙でもよい。ゴム部（２）と上層部（３）との貼り合わせは、両面テープ等、各種接着手段を用いることができる。ゴム部（２）と上層部（３）は、ゴム部（２）の中央溝部（２２）で密着しており、周縁突起部（２１）により、ずれにくく、外れにくい。
【００１７】
｛効果｝
本実施例によれば、柔軟性があり、磁石に磁力で貼りつくうえ、芝刈り機の刃で容易に切断でき、置き忘れても老化等で自然に分解可能で、かつ、従来からあるマーカーホルダーに容易に着脱可能である。すなわち、本実施例によれば、便利であるとともに芝刈り機の刃を傷めず環境に優しい。本実施例は、ゴム材に鉄粉を混練させたハイブリッド材であるので、従来の金属製マーカーと異なり、芝刈り機の刃がマーカーを巻き込んでも、刃の破片や金属の破片が飛び散る危険性を回避できる。
【００１８】
また、本実施例によれば、上層部が外れにくく、また様々なカラーや模様をつけることができ、バリエーションが豊かになる。また弾力性があり、衝撃を変形して吸収しすぐに元の状態に戻る。誰でも使いやすく、物が当たっても、元の形に戻るため、耐久性に優れている。また、金属製の従来のマーカーに比べ、コストも安くて済む。
【００１９】
さらに、ゴムは製造時に着色が容易であるので、上層部（３）のみならずゴム部（２）も多種の色を揃えることができる。
【実施例２】
【００２０】
本考案のマーカーの実施例２は、上述した実施例１と、上層部（３）がなく、ゴム部（２）だけで形成され、ゴム部（２）の厚みが２ｍｍ程度で、周縁突起部（２１）や中央溝部（２２）がなく表面が平滑平面である点以外は同じである。
【００２１】
本実施例によれば、ゴム製で柔軟性があり、磁石に磁力で貼りつくうえ、芝刈り機の刃で容易に切断でき、置き忘れても老化等で自然に分解可能で、かつ、従来からあるマーカーホルダーに容易に着脱可能である。すなわち、本実施例によれば、便利であるとともに芝刈り機の刃を傷めず環境に優しい。
【００２２】
また、本実施例は、弾力性があり、衝撃を変形して吸収しすぐに元の状態に戻る。誰でも使いやすく、物が当たっても、元の形に戻るため、耐久性に優れている。また、金属製の従来のマーカーに比べ、コストも安くて済む。
【００２３】
さらに、ゴムは製造時に着色が容易であるので多種の色を揃えることができる。
【００２４】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。例えば、上層部を周縁突起部の分だけゴムシートより小さく成型し、上層部の縁を周縁突起部の内側に嵌め込んで、中央溝部に貼り合わせてもよい。
【符号の説明】
【００２５】
１    マーカー
２    ゴム部
２１  周縁突起部
２２  中央溝部
３    上層部
【図１】
0003167434.tif 000003
【図２】
0003167434.tif 000004